(57)【要約】【課題】  地震が発生した時に、スーパマーケットやコンビニエンスストア等の商品陳列棚が倒れるのを防止することと、商品陳列棚に置かれている商品が棚板から容易に落下する可能性を抑えることができるようにすることにある。【解決手段】  陳列棚を形成する棚枠を床に固定し、地震が発生しても陳列棚が倒れないようにし、商品が載っている棚板と棚枠を独立させて、棚板と棚枠とを高強度の伸びの少ないワイヤ状の金属製紐又は合成繊維製紐で繋ぎ、棚枠が揺れても棚板はほぼ水平を保って揺れるようにして、棚板上の商品の落下の可能性を低減すことができるようにしたことを特徴としている。【選択図】図１
2009056274.tif 000002
【特許請求の範囲】
【請求項１】
商品を載せる陳列棚において、棚枠と棚板を紐で繋いで、地震などの揺れに対して棚板の上に置かれた商品の落下を防止することを特徴とする商品の落下防止陳列棚。
【請求項２】
請求項１記載の商品の落下防止陳列棚において、棚枠と棚板を繋ぐ紐は、１枚の棚板の側面に２箇所ずつ、計４箇所が棚枠の前後、左右に平行に繋がれていることを特徴とする商品の落下防止陳列棚。
【請求項３】
請求項１記載の商品の落下防止陳列棚において、棚枠と棚板を繋ぐ紐は、棚板に載せる重量に耐え得る充分な強度を持ち、伸びが少なく、経年変化が少ない金属製または合成繊維製のワイヤ状の紐が望ましく、且つ、紐は地震があった場合に、棚板が前後左右に自由に動くことのできるよう柔軟性のあることを特徴とする商品の落下防止陳列棚。
【請求項４】
請求項１記載の商品の落下防止陳列棚において、陳列棚は地震による揺れに対して、棚そのものが倒れないように棚枠を床に固定したことを特徴とする商品の落下防止陳列棚。
【発明の詳細な説明】
【技術分野】
【０００１】  本発明は、スーパマーケットやコンビニエンスストア等で使用される商品の陳列棚に関する。
【背景技術】
【０００２】  従来、スーパマーケットやコンビニエンスストア等で使用される商品の陳列棚は、床に固定されないまま置かれ、陳列棚に取り付けられた棚板に商品が置かれているため、地震が発生した場合、棚が揺れて棚板の上に置かれている商品が揺さぶられて、商品が棚板から落下して破損したり、傷が付いたりして、商品として使い物にならず廃却しなくてはならない。また、商品が棚から落下して、最悪の場合、人に危害が及ぶことがある。
【発明の開示】
【発明が解決しようとする課題】
【０００３】  上述の如く、従来技術に係る商品陳列棚は、床に置くだけのものであり、棚のレイアウトを変更したりする際には容易に移動できるため便利であるが、地震が発生した時には、地震の揺れで棚が転倒することがある。【０００４】  また、棚本体の強度を得るために、棚枠と棚板はほぼ一体のような構造で組み立てられているので、地震が発生した時には、棚と一緒に商品も揺さぶられて、商品が棚から落下するのを防止することは難しい。【０００５】  本発明は、このような点に鑑みて成されたものであり、地震が発生した時に、スーパマーケットやコンビニエンスストア等の商品陳列棚が倒れるのを防止することと、商品陳列棚に置かれている商品が棚板から容易に落下する可能性を抑えることができるようにすることにある。
【課題を解決するための手段】
【０００６】  上述の目的を達成する本発明の商品の落下防止陳列棚は、陳列棚を形成する棚枠（フレーム）を床に固定し、地震が発生しても商品陳列棚は倒れないようにしたことを特徴とする。【０００７】  また、棚枠が固定されると地震の揺れに伴って、商品が置かれている棚板も揺すられ陳列棚から振り落とされる結果となるため、棚枠と棚板を独立させて、棚板の四隅と棚枠とを高強度の伸びの少ないワイヤ状の金属製紐又は合成繊維製紐で繋ぎ、棚枠が揺れても棚板はほぼ水平を保って揺れるようにして、棚板上の商品の落下の可能性を低減すことができるようにしたことを特徴としている。
【発明の効果】
【０００８】  以上説明したように本発明の商品の落下防止陳列棚によれば、地震によって揺られても、棚枠は床に固定されているために倒れることはなく、且つ、棚板に置いてある商品は、棚枠に伴って揺さぶられることはあっても、棚板は棚枠とワイヤ状の紐で繋がれているため、ブランコのように動くだけで商品の落下の可能性を抑えることに有効である。【０００９】  また、本発明によって、棚枠の転倒及び商品の落下による人への危険性を低減するのに有効である。
【発明を実施するための最良の形態】
【００１０】  以下に本発明の実施の形態を図面に基づき詳細に説明する。【００１１】  従来の商品を置く陳列棚は、床に固定されないまま店内に設置されている。そして、棚枠に棚板が固定されるような状態で組み立てられているために、地震が発生した際、棚枠そのものが揺れるために棚板もそれに伴って揺れ、その棚板の上に載せてある商品も棚板に合わせて一緒に揺れる。したがって、大きな地震などが発生した場合には陳列棚そのものが揺れによって移動したり、倒れたり、あるいは陳列棚は倒れないまでも商品が棚板から落ちることがある。【００１２】  図１は本実施形態にかかる商品の落下防止陳列棚の正面図、図２は図１の側面図、図３は図１の平面図である。図１、図２及び図３に示すように、陳列棚は棚枠１の柱にブラケット７を設け、それをアンカーボルト６で床８に固定して陳列棚が倒れないようにし、棚枠１からワイヤ状の紐５で棚板４を吊るしている。こうすることによって、地震の揺れが床８から棚枠１に伝わっても、棚板４はワイヤ状の紐５で繋がれているために、地震の揺れを吸収し、例え大きな地震の揺れがあっても商品の載った棚板４は棚枠１の動きの方向に揺れるだけで、商品の落下は極力抑えられる。【００１３】  図４は本実施形態にかかる棚枠と棚板を繋ぐ紐の最良の外観図である。図４に示すように、棚枠１と棚板４とはワイヤ状の紐５で片側４箇所ずつ繋がれている。また、ワイヤ状の紐５は各々平行に成るように繋がれている。各紐を平行にすることによって、棚枠１が揺れても棚板４は図４に示すように水平に動き、商品が倒れることがない。図５、図６、図７は他の方法による棚枠１と棚板４を繋ぐ外観図であるが、図５は棚枠１と棚板４とを片側３箇所ずつで繋ぐ方法であり、図６は棚枠１と棚板４とを片側４箇所ずつで棚枠１と棚板４とを繋ぐが、棚枠１の２点間のピッチＸが棚板４の２点間のピッチＹより広い方法である。また図７は片側４箇所ずつで棚枠１と棚板４とを繋ぐが、棚枠１の２点間のピッチＸが棚板４の２点間のピッチＹより狭い方法を示す。図５、図６及び図７ともこの方法であると棚板４が揺れた場合に、棚板４は円弧状または逆円弧状に動くため棚板４の上に載っている商品が不安定になり易い。【００１４】  したがって、棚枠１と棚板４の繋ぎについては、図４に示すように前後左右共に４箇所を平行に繋ぐことが最適である。【００１５】  図８は本実施形態にかかる棚板４のフック１１及び棚枠補強材２のフック１１に紐５を繋いだ取付け図である。図８に示すように、フック１１は外側に適度なフランジ９を持たせ、棚枠１もしくは棚板４が揺すられた時に紐５が簡単に抜けないようにしている。このようなフック形状にすることで、棚板４を棚枠１に簡単に取りつけることができる。【００１６】  図９は本実施形態にかかる金属製又は合成繊維製のワイヤ状の紐５の外観図である。図９に示すように、両端を丸くして、フック１１にはめ易くしている。
【産業上の利用可能性】
【００１７】  本発明はスーパマーケットやコンビニエンスストア等で使用される商品の陳列棚を製造、販売する産業分野で利用することができる。
【図面の簡単な説明】
【００１８】
【図１】  本発明の第１の実施形態にかかる商品の落下防止陳列棚の正面図である。
【図２】  図１の商品の落下防止陳列棚の側面図である。
【図３】  図１の商品の落下防止陳列棚の平面図である。
【図４】  本発明の第１の実施形態にかかる商品の落下防止陳列棚の棚枠と棚板を繋ぐ紐の最適な方法の説明図である。
【図５】  本発明の一実施形態にかかる商品の落下防止陳列棚の棚枠と棚板を繋ぐ紐の他の方法の説明図である。
【図６】  本発明の一実施形態にかかる商品の落下防止陳列棚の棚枠と棚板を繋ぐ紐の他の方法の説明図である。
【図７】  本発明の一実施形態にかかる商品の落下防止陳列棚の棚枠と棚板を繋ぐ紐の他の方法の説明図である。
【図８】  本発明の第１の実施形態にかかる商品の落下防止陳列棚の棚枠と棚板を繋ぐ紐の取付け図である
【図９】  本発明の第１の実施形態にかかる商品の落下防止陳列棚の棚枠と棚板を繋ぐワイヤ状の紐の外観図である。
【符号の説明】
【００１９】  １：棚枠
２：棚枠補強材
３：滑り止め
４：棚板
５：紐
６：固定ボルト
７：ブラケット
８：床
９：フランジ
１０：揺れ方向
１１：フック
【図１】
2009056274.tif 000003
【図２】
2009056274.tif 000004
【図３】
2009056274.tif 000005
【図４】
2009056274.tif 000006
【図５】
2009056274.tif 000007
【図６】
2009056274.tif 000008
【図７】
2009056274.tif 000009
【図８】
2009056274.tif 000010
【図９】
2009056274.tif 000011